(57)【特許請求の範囲】
【請求項１】
旋回可能として天井に配設されるアーム１を備え、該アーム１の先端部に付設の弾発部材を有するバランサ７を介して該先端部から線状体２が垂下され、該線状体２の先端にレンチ部３が連結されて、上記アーム１の先端部からレンチ部３が吊り下げられ、
天井に配設される上記アーム１に消音器４を取付け、
上記線状体２の先端に連結された上記レンチ部３の排気口11に排気ダクト17を接続すると共に上記レンチ部３の供給口10に圧縮空気を供給するエア配管16を接続し、上記排気ダクト17は上記アーム１に取付けられた上記消音器４に接続され、
上記線状体２と排気ダクト17と上記エア配管16とは外装材18にて被覆されたことを特徴とするインパクト装置。
【発明の詳細な説明】
【０００１】
【発明の属する技術分野】
本発明は、自動車のサービス工場等でタイヤ交換作業等に使用されるインパクトレンチを備えたインパクト装置に関する。
【０００２】
【従来の技術】
インパクトレンチは、排気音が大きく、その排気音は作業者にとって苦痛であると共に、このレンチを使用している工場の近隣に民家がある場合、この近隣の民家にとっても迷惑であった。そのため、従来では、インパクトレンチの排気口にサイレンサー（消音器）を接続することがあった。
【０００３】
【発明が解決しようとする課題】
ところが、上述のように、インパクトレンチに直接サイレンサーを取付けた場合、インパクトレンチの作業性等により、該サイレンサーとしては、比較的小型のものに限定されていた。
【０００４】
そのため、消音効果が小さく、かつ、排気抵抗によるこのインパクトレンチの能力低下（トルク低下）が発生していた。さらに、作業部位近傍にサイレンサーが配設されることになり、該サイレンサーのゴミ、結露等による目詰まりにより一層の能力低下をきたすことがあった。
【０００５】
そこで、本発明は、レンチとしての能力を低下させることなく、確実に消音効果を得ることができるインパクト装置を提供することを目的としている。
【０００６】
【課題を解決するための手段】
上述の目的を達成するために、本発明に係るインパクト装置は、旋回可能として天井に配設されるアームを備え、該アームの先端部に付設の弾発部材を有するバランサを介して該先端部から線状体が垂下され、該線状体の先端にレンチ部が連結されて、上記アームの先端部からレンチ部が吊り下げられ；天井に配設される上記アームに消音器を取付け；上記線状体の先端に連結された上記レンチ部の排気口に排気ダクトを接続すると共に上記レンチ部の供給口に圧縮空気を供給するエア配管を接続し、上記排気ダクトは上記アームに取付けられた上記消音器に接続され；上記線状体と排気ダクトと上記エア配管とは外装材にて被覆されたものである。
【０００７】
【発明の実施の形態】
以下、本発明の実施の形態を図面に基づいて詳説する。
【０００８】
図１は本発明に係るインパクト装置の簡略図を示し、このインパクト装置は、工場等の天井に旋回可能として配設されるアーム１と、該アーム１から線状体２を介して垂下されるレンチ部（インパクトレンチ）３と、該アーム１に付設される消音器４と、を備える。
【０００９】
即ち、天井には、図示省略のガイドレールが配設され、このガイドレールには該ガイドレールに沿って走行するトロリーが嵌合され、このトロリーに上記アーム１が枢支軸８を介して水平面内の回転を可能として取り付けられている。そして、このアーム１の先端部に吊下金具５が付設され、この吊下金具５にフック６が係止され、このフック６からバランサ７を介して線状体２が垂下され、この線状体２の先端にレンチ部３が連結されている。バランサ７は、例えば、ゼンマイバネ等の弾発部材を備え、レンチ部３の重量を軽減するためのものである。
【００１０】
また、レンチ部３は従来から使用されている一般的なインパクトレンチであり、図４に示すように、圧縮空気が供給される供給口10と排気を排出する排気口11とを備えたハウジング12と、該ハウジング12から突設される軸部13と、を備え、該ハウジング12には、握持部14が形成されると共に、操作レバー15が付設されている。そして、供給口10には、圧縮空気を供給するためのエア配管16（図１参照）が接続され、排気口11には排気ダクト17（図１参照）が接続される。なお、エア配管16は図示省略の圧縮空気供給源に接続される。この場合、図１に示すように、線状体２とエア配管16と排気ダクト17とは外装材18にて被覆される。
【００１１】
そして、この排気ダクト17は、アーム１に取付けられる消音器４の吸入口20（図２参照）に接続される。ところで、消音器４は、例えば、図２に示すように、分散器21と、吸音板22と、遮断板23，24，25と、該分散器21と吸音板22と遮断板23，24，25とを順次上流側から下流側に配設して収納する箱枠体26と、を備える。そして、これらの板22，23，24，25にて、この消音器４は、第１室33と第２室34と第３室35と第４室36と第５室37とに仕切られる。また、吸入口20は、箱枠体26の上流壁26ａに設けられ、この上流壁26ａの内面に分散器21が配置され、箱枠体26の下流壁26ｂには、排気口31が開設されている。
【００１２】
また、分散器21は、例えば、せん孔金属板等からなり、吸音板22は、例えば、ガラス繊維，石こうボード等からなる。そして、図３の（イ）に示すように、吸音板22は、４隅部に３角形状の切欠部27…が形成された矩形平板体からなり、遮断板23は、図３の（ロ）に示すように、各辺の中央部に矩形状の切欠28…が形成された矩形平板体からなり、遮断板24は、図３の（ハ）に示すように、中央部に矩形状の窓部29が形成された矩形平板体からなり、遮断板25は、図３の（ニ）に示すように、４隅部に３角形状の切欠部30…が形成された矩形平板体からなる。
【００１３】
従って、吸音板22が箱枠体26に装着されれば、切欠部27…にてエア抜け孔32ａが形成され、遮断板23が箱枠体26に装着されれば、切欠28…にてエア抜け孔32ｂが形成され、遮断板24が箱枠体26に装着されれば、窓部29…にてエア抜け孔32ｃが形成され、遮断板25が箱枠体26に装着されれば、切欠部30…にてエア抜け孔32ｄが形成される。
【００１４】
即ち、排気ダクト17を介して吸入口20から入ったエアは、矢印Ａ…の如く、分散器21にて、分散されて第１室33に入り、この第１室33からエア抜け孔32ａを介して、矢印Ｂの如く、第２室34に入り、この第２室34からエア抜け孔32ｂを介して、矢印Ｃの如く、第３室35に入り、この第３室35からエア抜け孔32ｃを介して、矢印Ｄの如く、第４室36に入り、この第４室36からエア抜け孔32ｄを介して、矢印Ｅの如く、第５室37に入り、この第５室37から排気口31を介して外部に排出される。これによって、レンチ部（インパクトレンチ）３の排気を、十分に減圧・減速して大気中に放出することができ、大きな消音効果を得ることができる。
【００１５】
具体的には、この消音器４を取付けた場合、環境音が40dBで、インパクト音が103dB のとき、80dBとなった。また、レンチ部３の排気音のみでは90％の消音効果があった。
【００１６】
ところで、図１のインパクト装置では、水平面内を旋回可能なアーム１にレンチ部３が垂下されているので、このアーム１を旋回させたり、該レンチ部３を上下動させることによって、該レンチ部３を簡単に所望の位置に移動させることができ、このレンチ部３の使用が極めて容易である。
【００１７】
しかして、図１に示すインパクト装置では、排気ダクト17とエア配管16とは別に配管しているが、エア配管16内に排気ダクト17を挿入して、レンチ部３から突出される配管を一本状とすることもでき、逆に、排気ダクト17内にエア配管16を挿入して、一本状とすることも可能である。
【００１８】
なお、レンチ部３としては、図例のものに限らず、従来から一般に使用されているインパクトレンチであればよく、また、消音器４としては、管の一部に多孔板を用いてそのまわりに吸音材を充填した吸音型、共鳴室を設けた共鳴型、その他干渉型、膨張型、高域濾波型等の従来から一般的に使用されているものを、使用することができる。
【００１９】
【発明の効果】
本発明は上述の如く構成されているので、次に記載する効果を奏する。
【００２０】
請求項１記載のインパクト装置によれば、消音器４をレンチ部３に直接的に設ける必要がなく、該消音器４を比較的大型のもの、つまり十分な容量をもつものを使用することができ、これによって、インパクト音の騒音を確実に消音することができ、しかも、レンチ部３のトルク低下を招くことがなく、このレンチ部３によるタイヤ交換作業等を確実に行うことができる。
【００２１】
さらに、アーム１の旋回にて、レンチ部３を所望の位置に簡単に移動させることができる利点がある。かつ、バランサ７の弾発部材によって、レンチ部３の重量を軽減できる。
【図面の簡単な説明】
【図１】本発明に係るインパクト装置の簡略図である。
【図２】消音器の簡略断面図である。
【図３】消音器の一部を示す簡略図である。
【図４】レンチ部の簡略図である。
【符号の説明】
１  アーム
２  線状体
３  レンチ部
４  消音器
７  バランサ
11  排気口
16  エア配管
17  排気ダクト
18  外装材
【図１】
0003571495.tif 000002
【図２】
0003571495.tif 000003
【図３】
0003571495.tif 000004
【図４】
0003571495.tif 000005